(57)【要約】【課題】  本発明の目的は、発電プラントの性能変動を判別することができる発電プラント性能評価方法を提供することである。【解決手段】  本発明の発電プラント性能評価方法は、発電プラントの所定の基準期間及びこの期間経過後の評価期間における運転状況を表す単位時間毎の複数の運転データと外的要因変動データを取得するステップと、基準期間において取得した複数の運転データの中から，外的要因変動データと一定の相関関係を有する運転データを対象運転データとして少なくとも一つ選択し，該対象運転データと外的要因データとの相関関数を求めるステップと、評価期間で取得した外的要因変動データに対応する運転データについて、前記相関関数に基づいて代替の運転データを導出するステップと、この代替の運転データと評価期間で取得した実際の運転データとを比較するステップと、を含むことを特徴とする。【選択図】図３
2019108881.tif 000002
【特許請求の範囲】
【請求項１】
発電プラントの所定の基準期間における運転状況を表す単位時間毎の複数の運転データと外的要因変動データを取得する第１のステップと、
前記基準期間において取得した前記複数の運転データの中から，前記外的要因変動データと一定の相関関係を有する前記運転データを対象運転データとして少なくとも１つ選択し，該対象運転データと前記外的要因変動データとの相関関係を求める第２のステップと、
前記基準期間の経過後の所定の評価期間における運転状況を表す単位時間毎の前記複数の運転データと前記外的要因変動データを取得する第３のステップと、
前記第３のステップで取得した前記外的要因変動データに対応する前記第２のステップで取得した運転データについて、前記第２のステップで求めた前記相関関係に基づいて代替の運転データとして導出する第４のステップと、
該代替の運転データと前記第３のステップで取得した実際の運転データとを比較する第５のステップと、を含むことを特徴とする発電プラント性能評価方法。
【請求項２】
発電プラントの所定の基準期間における運転状況を表す単位時間毎の複数の運転データと外的要因変動データを取得する第１のステップと、
前記基準期間における前記複数の運転データの中から，前記外的要因変動データと一定の相関関係を有する前記運転データを対象運転データとして少なくとも１つ選択し，該対象運転データと前記外的要因変動データとの相関関係を求める第２のステップと、
前記基準期間の経過後の所定の評価期間における運転状況を表す単位時間毎の前記複数の運転データと前記外的要因変動データを取得する第３のステップと、
前記第２のステップで取得した運転データについて、前記第２のステップで求めた前記相関関係に基づいて前記第３のステップで取得した外的要因変動データに対応する運転データを代替の運転データとして導出する第４のステップと、
前記代替の運転データを用いて該運転データの指標値を算出する第５のステップと、
該運転データの指標値と前記評価期間における実際の運転データとを比較する第６のステップと、を含むことを特徴とする発電プラント性能評価方法。
【請求項３】
前記相関関係は、前記対象運転データと前記外的要因変動データとの相関関数で表すことを特徴とする請求項１又は２に記載の発電プラント性能評価方法。
【請求項４】
前記複数の運転データは、発電プラントの発電端効率に影響を与える要因に応じてツリー状に階層化して展開され、前記指標値は、該ツリー状に展開された前記複数の運転データ毎に求められると共に、該運転データ毎の指標値と前記実際の運転データとを比較することで、発電プラントの下層レベルまで絞り込んで評価分析することを特徴とする請求項２又は３に記載の発電プラント性能評価方法。
【請求項５】
発電プラントの所定の基準期間における運転状況を表す単位時間毎の複数の運転データと外的要因変動データを取得する第１のステップと、
前記基準期間において取得した前記複数の運転データの中から，前記外的要因変動データと一定の相関関係を有する前記運転データを対象運転データとして少なくとも一つ選択し，該対象運転データと前記外的要因変動データとの相関関係を求める第２のステップと、
前記基準期間の経過後の所定の評価期間における運転状況を表す単位時間毎の前記複数の運転データと前記外的要因変動データを取得する第３のステップと、
前記第３のステップで取得した外的要因変動データに対応する前記第２のステップで取得した運転データについて、前記第２のステップで求めた前記相関関係に基づいて代替の運転データとして導出する第４のステップと、
該代替の運転データと前記第３のステップで取得した実際の運転データとを比較する第５のステップと、をコンピュータに実行させるための発電プラント性能評価プログラム。
【請求項６】
発電プラントの所定の基準期間における運転状況を表す単位時間毎の複数の運転データと外的要因変動データを取得する第１のステップと、
前記基準期間における前記複数の運転データの中から，前記外的要因変動データと一定の相関関係を有する前記運転データを対象運転データとして少なくとも一つ選択し，該対象運転データと前記外的要因変動データとの相関関係を求める第２のステップと、
前記基準期間の経過後の所定の評価期間における運転状況を表す単位時間毎の前記複数の運転データと前記外的要因変動データを取得する第３のステップと、
前記第２のステップで取得した運転データについて、前記第２のステップで求めた前記相関関係に基づいて前記第３のステップで取得した外的要因変動データに対応する運転データを代替の運転データとして導出する第４のステップと、
前記代替の運転データを用いて該運転データの指標値を算出する第５のステップと、
該運転データの指標値と前記評価期間における実際の運転データとを比較する第６のステップと、をコンピュータに実行させるための発電プラント性能評価プログラム。
【請求項７】
前記相関関係は、前記対象運転データと前記外的要因変動データとの相関関数で表すことを特徴とする請求項５又は６に記載の発電プラント性能評価プログラム。
【請求項８】
前記複数の運転データは、発電プラントの発電端効率に影響を与える要因に応じてツリー状に階層化して展開され、前記指標値は、該ツリー状に展開された前記運転データ毎に求められると共に、該運転データ毎の指標値と前記実際の運転データとを比較することで、発電プラントの下層レベルまで絞り込んで評価分析することを特徴とする請求項６又は７に記載の発電プラント性能評価プログラム。 
【発明の詳細な説明】
【技術分野】
【０００１】
本発明は、火力発電所などの発電プラントの性能を評価する発電プラント性能評価方法及びそれをコンピュータに実行させる発電プラント性能評価プログラムに関する。
【背景技術】
【０００２】
火力発電プラントなどの発電プラントでは、発電コストの低減の観点から、熱効率を維持・向上することが重要な課題となっている。そのため、発電プラントにおいては、発電プラントを構成する各機器の運転データ、すなわち各機器での作動流体の状態（作動流体の流量、温度、圧力など）のデータを定期的（例えば１時間毎）に採取し監視し、発電プラントの熱効率及び発電プラントを構成する機器の性能値により発電プラントの性能評価が行われている。発電プラントの過去の正常な状態における熱効率や性能値などの運転データと比較することで、発電プラントの性能の変化を評価することができる。
【０００３】
しかしながら、発電プラントの熱効率や各機器の性能値などの運転データは、発電プラントの発電機出力など運転条件や外気温など気象条件を含む外的要因（発電プラントを構成する各機器の状態に影響を与える場合、このような運転条件も外的要因とみなす）により影響を受けることが知られている。そのため、発電プラントの過去の運転データと比較するためには、発電プラントの発電機出力の運転条件や外気温など気象条件の外的要因によって変動するデータ（以下、発電機出力や気象条件を「外的要因変動データ」と称することがある）を同一の条件にしなければ、性能の変動の原因が外的要因の変動によるものなのか、発電プラントの設備の劣化等によるものなのかの判別が困難である。
【０００４】
また、仮に熱効率の性能劣化が推定された場合においても、各機器の状態などの下層レベルまでその劣化原因を特定することも困難である。
【０００５】
特許文献１は、気象条件などの外的要因を除外し、運転データの実測値に基づいて発電プラントの熱効率、発電プラントを構成する機器の性能値、及び当該性能値の変化が発電プラントの熱効率に与える影響を解析することができる熱効率解析手法について開示している。
【０００６】
なお、特許文献１の解析手法は、評価時点において実測された運転データを、標準条件として設定された一定条件における運転データに換算して、過去の発電プラントの状態と比較するものである。これは、発電プラントの経時的な性能変動の傾向を把握することは可能であるが、個々の評価時点における発電プラントの発電機出力や気象条件の外的要因の変動を考慮した発電プラントの運転状態の性能を個別に評価することはできないという問題がある。
【先行技術文献】
【特許文献】
【０００７】
【特許文献１】特開２０１２−０２１４８７号公報
【発明の概要】
【発明が解決しようとする課題】
【０００８】
本発明の目的は、発電プラントの発電機出力の運転条件や気温など気象情報の外的要因の変動を考慮した任意の状態における発電プラントの性能変動を評価することができる発電プラント性能評価方法及びそれを実行するための発電プラント性能評価プログラムを提供することにある。
【課題を解決するための手段】
【０００９】
上記目的を達成するための本発明の発電プラント性能評価方法は、発電プラントの所定の基準期間における運転状況を表す単位時間毎の複数の運転データと外的要因変動データを取得する第１のステップと、基準期間において取得した複数の運転データの中から，外的要因変動データと一定の相関関係を有する運転データを対象運転データとして少なくとも一つ選択し，この対象運転データと外的要因データとの相関関係を求める第２のステップと、基準期間の経過後の所定の評価期間における運転状況を表す単位時間毎の複数の運転データと外的要因変動データを取得する第３のステップと、この第３のステップで取得した外的要因変動データに対応する第２のステップで採取した運転データについて、第２のステップで求めた相関関係に基づいて代替の運転データとして導出する第４のステップと、この代替の運転データと第３のステップで取得した実際の運転データとを比較する第５のステップと、を含むことを特徴とする。
【００１０】
また、本発明の発電プラント性能評価方法では、対象運転データと外的要因データとの相関関係を相関関数で表すことが好ましく、代替の運転データを用いて運転データの指標値を算出し、この運転データの指標値と評価期間における実際の運転データとを比較して性能評価を行うこともできる。
【００１１】
さらに、本発明の発電プラント性能評価方法では、複数の運転データを発電プラントの発電端効率に影響を与える要因に応じてツリー状に階層化して展開し、このツリー状に展開された運転データ毎に指標値を算出すると共に、この運転データ毎の指標値と実際の運転データとを比較することで、発電プラントの不具合等の要因を下層レベルまで絞り込んで評価分析することができる。
【００１２】
加えて、本発明は、上記発電プラント性能評価方法をコンピュータに実行させるための発電プラント性能評価プログラムに関するものである。
【発明の効果】
【００１３】
本発明によれば、発電プラントの発電機出力や外気温など気象条件の外的要因変動データを同一として、評価期間の性能と基準期間の性能とを比較することができる。また、発電プラントの不具合等の要因を下層レベルまで絞り込んで比較することもできるため、発電プラント全体の経年的な性能変動（設備の劣化等）を発電機出力や気象条件の外的要因の変動に影響されずに、容易に評価分析することが可能となる。さらに、発電プラントの性能を評価することで、発電プラントの異常兆候を監視することもできる。
【図面の簡単な説明】
【００１４】
【図１】コンバインドサイクル発電プラントの概略構成を示す図である。
【図２】本発明の実施の形態における発電プラント性能評価方法を実施するコンピュータ装置のハードウェア構成例を示す図である。
【図３】本発明の実施の形態における発電プラント性能評価方法の手順を示すフローチャートである。
【図４】基準期間におけるGTガス燃料流量(t/h)を表すグラフである。
【図５】GTガス燃料流量と発電機出力との関係を表すグラフである。
【図６】GTガス燃料流量と気温との関係を表すグラフである。
【図７】GTガス燃料流量と気温との相関関数を示すグラフである。
【図８】按分処理を説明する図である。
【図９】発電端効率の実際の値と指標値を重ねて表示するグラフである。
【図１０】発電端効率に影響を与える各種運転データをツリー状に記録するデータベースを示す図である。
【図１１】発電端効率に影響を与える各種運転データについて、実際の値と指標値を重ねて表示して、ツリー状の階層を辿って変動要因を絞り込む態様を模式的に示す図である。
【発明を実施するための形態】
【００１５】
以下、図面を参照して本発明の実施の形態について説明する。しかしながら、かかる実施の形態例が、本発明の技術的範囲を限定するものではない。
【００１６】
本発明の実施の形態では、発電プラントの一例として、火力発電におけるコンバインドサイクル発電プラントを性能評価の対象とする。また、その性能評価を行うための運転データとしては、その代表的なものが全体の熱効率を示す発電端効率であり、図１０にツリー状に階層化して、発電端効率、ＧＴ効率、ＳＴ効率、ＳＧ効率やＧＴガス燃料流量、ＧＴ燃料ガス供給温度などの運転データに分類され、データベース化される。そして、このデータベースは、マイクロソフト社が提供する表計算プログラム「Ｅｘｃｅｌ」など汎用的な表計算プログラムを使用して作成することができる。
【００１７】
図１は、コンバインドサイクル発電プラントの概略構成を示す図である。コンバインドサイクル発電プラントは、ガスタービン（GT: Gas Turbine）と蒸気タービン（ST: Steam Turbine）を組み合わせた発電システムであって、燃料を燃焼してガスタービンを回転させると同時に、排熱回収ボイラ(HRSG: Heat Recovery Steam Generator)により高温のガスタービン排熱を回収して蒸気を発生させ、蒸気タービンを回転させて発電する仕組みの発電プラントである。以下の説明及び図面において、「GT」はガスタービン、「ST」は蒸気タービン、「SG」は排熱回収ボイラの略称である。
【００１８】
本発明の発電プラント性能評価方法は、出願人の保有するコンバインドサイクル発電プラントの一つである新仙台火力発電所３号系列（宮城県仙台市）の運転データを用いて行われたものである。新仙台火力発電所３号系列は、平成２８年７月より営業運転が開始されている。
【００１９】
発電プラントの性能評価を行う既存の熱効率解析プログラムとして、一般財団法人電力中央研究所が開発・提供している発電システム熱効率解析汎用プログラム「EnergyWin」（登録商標）（以下EWプログラムと称する）が広く利用されている。このEWプログラムは、発電プラントの構成に対応する解析モデルを作成し、以下に例示する発電プラントの運転条件、気象条件、燃料条件などを含むデータの中から解析に必要なものを入力することにより、発電プラントの熱収支バランスを解析して、各構成機器の性能状態（作動流体の流量、温度、圧力や発電端効率など）を演算し発電プラント全体の性能状態の解析を行うことができる。
【００２０】
運転条件・・・発電機出力，高圧・中圧・低圧それぞれのブロー弁開度，補助蒸気流量等
気象条件・・・大気温度，大気圧力，大気湿度等
燃料条件・・・燃料発熱量，送ガス母管温度，送ガス母管圧力等
本発明の実施の形態では、このEWプログラムの演算機能など一部機能を利用することにより、性能評価方法を実施するが,EWプログラムに限らず、別の汎用解析プログラムを利用することも可能であり、また、汎用プログラムを利用せずに、既知の定義式に従った計算プログラムを作成して演算してもよい。
【００２１】
本発明の実施の形態における発電プラント性能評価方法は、それを実施するための処理工程を含む発電プラント性能評価プログラムをコンピュータ装置が実行することにより実現される。
【００２２】
図２は、本発明の実施の形態における発電プラント性能評価方法を実施するコンピュータ装置のハードウェア構成例を示す。コンピュータ装置１０は、汎用的なパーソナルコンピュータであってもよく、据置型、ノートブック型、タブレット型などの形態を問わない。従って、コンピュータ装置１０は、汎用的なコンピュータ装置のハードウェア構成を有し、制御部１１０、入力装置１２０、出力装置１３０、記憶装置１４０、通信インタフェース１５０を有して構成される。制御部１１０は、ＣＰＵなどの演算処理ユニット及びＲＡＭやＲＯＭなどのメモリを備え、記憶装置１４０に記憶されるデータベースを読み出して参照し、さらに、記憶装置１４０に記憶されるコンピュータプログラムを実行する。記憶装置１４０は、例えばハードディスク記憶装置やソリッドステートドライブ（SSD）などの記憶媒体であり、本実施の形態における発電プラント性能評価方法を実行するための発電プラント性能評価プログラム及び各種運転データなどを記憶するデータベースである。制御部１１０が、このコンピュータプログラムを実行することにより、本実施の形態における発電プラント性能評価方法を実行する。通信インタフェース１５０は、インターネットに接続するためのインタフェースである。入力装置１２０は、マウスやキーボードに加えて、採取された運転データを含む外部からのデータを取り込む接続インタフェースも含む。出力装置１３０は、ディスプレイなどの表示手段やプリンタなどに加えて、外部へデータを出力する接続インタフェースも含む。
【００２３】
図３は、本発明の実施の形態における発電プラント性能評価方法の手順を示すフローチャートである。本発明の発電プラント性能評価方法では、このフローチャートに基づいて以下の工程を実施する。
【００２４】
（ａ）基準期間における各種データの取得工程(S101)
まず、基準期間を定め、基準期間における発電プラントの各種データを取得する。この場合の基準期間とは、発電プラントが稼働している任意の期間であるが、発電プラントの熱効率等の性能は、一般に経年的に徐々に低下していくことが知られていることから、性能評価を行うためには、この基準期間は、熱効率が最も高い期間と想定される発電プラントの初期状態の一定期間であることが好ましく、例えば、運転開始から１年間くらいの期間とすることが好ましい。
【００２５】
また、取得される各種データとしては、コンバインドサイクル発電プラントにおいて基準期間に測定装置によって採取される運転データや一定の関係式に基づいて演算により取得される運転データがある。例えば、図１０に示すツリー状の下層レベルに展開されるＧＴガス燃料流量、ＧＴ燃料ガス供給温度などの運転データは、測定装置によって採取されるものが多く、上位レベルに展開される発電端効率、ＧＴ効率、ＳＴ効率、ＳＧ効率などは、演算により取得されるものが多い。
【００２６】
具体的には、例えばコンバインドサイクル発電プラントを構成するガスタービン（GT）、蒸気タービン（ST）、排熱回収ボイラ（SG）などの構成機器における燃料や作動流体（蒸気、排気、冷却水など）の入口・出口温度、入口・出口流量、入口・出口圧力などの下層レベルの運転データがあり、センサなどの測定装置により単位時間（例えば１時間）毎に定期的に実測値として採取される。
【００２７】
また、上位レベルの運転データである例えば発電端効率は、後述する演算式（１）に基づいて演算により取得される。さらに、採取されるデータとしては、発電機出力や発電プラントの周辺の大気温度、大気圧力、大気湿度などの気象条件データがある。
【００２８】
発電機出力は、発電プラントの出力の範囲内において、中央給電司令所からの指令により設定される運転条件として採取されるデータであり、設定された値の出力となるように常時監視・制御される。そして、この発電機出力は、電力需給などに応じて、設定値を変更して出力調整されるため、外的要因変動データの一つである。
【００２９】
例えば、発電所の出力範囲が245MW〜490MWの場合、出力490MWは出力100%であり、出力245MWは出力50%となり、この範囲内で任意の出力に調整される。設定された出力となるよう発電プラントは運転され、その実際の出力の値も測定装置により採取される。
【００３０】
気象条件データも、外的要因変動データの一つであり、単位時間毎に定期的に測定装置により採取される。
【００３１】
このような基準期間に取得される各種データは、データベース（コンピュータ装置の記憶装置）に記録される。
【００３２】
（ｂ）相関関数作成工程（S102）
基準期間における外的要因変動データである気象データや各種運転データの取得が実施されると、続いて、基準期間に取得された各種運転データの中から、外的要因変動データと一定の相関関係を有する特定の運転データを対象データとして選択し（以下、この運転データを「対象運転データ」と称する）、この対象運転データと発電プラントの発電機出力や気象データとの相関関係を求める。例えば、対象運転データがGTガス燃料流量(t/h)である場合、このGTガス燃料流量(t/h)と発電機出力との相関関係や気象データとの相関関係を求め、具体的にはその相関関数を作成する。
【００３３】
なお、このGTガス燃料流量とは、コンバインドサイクル発電プラントのガスタービン内で燃焼されるガス燃料の流量であるが、このGTガス燃料流量に限らず、図１０に示す発電端効率に影響を与える要因となる他の運転データの中から、対象運転データを選択することもできる。例えば、大気温度が低ければ、発電プラントを構成する機器の一つである空気圧縮機の運転データである空気圧縮機出口空気温度も低くなる。この様に気象条件と運転データとの間に高い相関関係を有する場合は、対象運転データの一つとして採用してもよい。
【００３４】
図４は、２０１５年１２月１２日〜２０１６年１１月２６日の概ね１年間の基準期間におけるGTガス燃料流量(t/h)を表すグラフである。図４において、GTガス燃料流量が60(t/h)付近のときは発電機出力100%（出力490MW）での運転、GT燃料流量が35(t/h)付近のときは発電機出力50%（出力245MW）での運転、GTガス燃料流量がこれらの間の47.5(t/h)付近のときは発電機出力75%（出力367.5MW）での運転である。この図４のグラフのデータに基づいて、GTガス燃料流量と発電機出力との関係をグラフに表したのが図５である。
【００３５】
図５では、発電プラントの発電機出力は、非連続の３段階(50%、75%、100%)の値となっているが、発電機出力の増大に伴ってGTガス燃料流量も比例して増大し、高い相関関係を有していることが明らかである。そのため、最小二乗法などの既知の近似計算手法によりGTガス燃料流量と発電機出力との相関を演算により求めると、相関関数Ｆ１は正の傾きを有する一次関数として求めることができる。
【００３６】
次に、図６は、GTガス燃料流量と気温（℃）との関係を表すグラフである。図６のグラフにおいて、図４のグラフと同様に、GTガス燃料流量が60(t/h)付近のときは発電機出力100%での運転、GT燃料流量が35(t/h)付近のときは発電機出力50%での運転、GTガス燃料流量がこれらの間の47.5(t/h)付近のときは発電機出力75%での運転である。この図６のグラフのデータに基づいて、発電機出力毎にGTガス燃料流量と気温との相関関係を求めると、十分なデータ数を有する発電機出力50%と100%の場合について、それぞれGTガス燃料流量と気温との相関関数を求めることができる。
【００３７】
図７は、そのGTガス燃料流量と気温との相関関数を示すグラフであり、図７（ａ）は発電機出力100%における相関関数Ｆ２を示し、図７（ｂ）は出力50%における相関関数Ｆ３を示す。いずれも気温が高くなるにつれて、GTガス燃料流量がわずかに減少していく傾向が見られ、それぞれ負の傾きを有する一次関数として求めることができる。
【００３８】
このような相関関数は、上述の例と同様にして、GTガス燃料流量以外の運転データについても、外的要因変動データである発電機出力や気象データとの間に一定の相関関係を有する場合は、その運転データとの相関関数を求めると共に、その相関関数は、データベースに記録される。
【００３９】
このように、上述のステップS101及びS102において実施された処理工程、すなわち基準期間における各種データの取得及び相関関数の作成が行われた後、任意又はあらかじめ設定された所定の評価期間で性能評価処理が実施される。そして、この性能評価処理は、以下の各工程に基づいて実施される。
【００４０】
（ｃ）評価期間における運転データの取得工程（S103）
発電プラントの運転中は、常時、発電機出力や気象データと、図１０に示す各種運転データなどが取得されるが、評価期間においても、基準期間と同じく、運転中の発電プラントの各種運転データや発電機出力及び気象データを取得する。この場合の評価期間とは、基準期間後の任意の期間であるが、好ましくは１週間〜１年間くらいである。
【００４１】
この運転データの取得工程においては、外的要因変動データと一定の相関関係を有する運転データを対象運転データとして選択する。具体的には、例えば、上述した図4乃至図８に示すように、発電機出力や気象データと一定の相関関係を有する運転データとして、ガス燃料流量を選択し、このガス燃料流量の運転データを採取する。もっとも、発電機出力や気象データと一定の相関関係を有する運転データが他にもある場合は、対象運転データとしてその運転データを採取することができる。
【００４２】
（ｄ）相関関数に基づく代替の運転データの導出工程(S104)
次に、上記（ｂ）の相関関数作成工程において作成した相関関数に基づいて、評価期間において実際に採取される運転データ（ガス燃料流量）に対応する基準期間における運転データ（ガス燃料流量）を代替の運転データとして導出する。すなわち、評価期間において実際に採取される対象運転データとしてのGT燃料流量は、基準期間における気温などの気象条件と異なる条件下で採取されるため、評価期間における発電プラントの性能を基準期間における発電プラントの性能と比較する場合、外的要因変動データの一つである気象条件を同一として比較する必要がある。そのため、評価期間において実際に採取されるGT燃料流量とは別に、上述した相関関数を用いて、GT燃料流量を実際に採取したときの発電機出力と気温のデータから基準期間におけるGT燃料流量を導出し、これを代替の運転データと称することとする。
【００４３】
具体的には、例えば、評価期間の発電機出力が50%であり、気温が20℃の場合、図７（ｂ）に示す発電機出力50%の場合の相関関数Ｆ３を用いて、気温が20℃におけるGTガス燃料流量を相関関数Ｆ３の関数値として求め、この関数値がGTガス燃料流量の代替の運転データとなる。また、評価期間の発電機出力が80%、気温が20℃のような場合は、発電機出力80%の場合の相関関数が作成されていないが、この場合は、図７（ａ）に示す発電機出力100%の相関関数Ｆ２と図７（ｂ）に示す発電機出力50%の相関関数Ｆ３とを用いて、それぞれの気温が20℃におけるGTガス燃料流量の値を比率で按分して導出することができる。そして、GTガス燃料流量と発電機出力との関係は、図５で示したとおり、一次関数で表せる相関関係を有することから、按分処理により導出することができる。
【００４４】
図８は、按分処理を説明する図である。図８では、例えば発電機出力80%におけるGTガス燃料流量の値を按分処理で求める場合を例示する。相関関数が作成されていない発電機出力についても、発電機出力と対象運転データとの相関関数に基づいて、任意の発電機出力に対応する代替の運転データを導出することができる。
【００４５】
以上の説明では，運転データがGTガス燃料流量である場合について説明したが，GTガス燃料流量以外に、発電機出力や気象データとの間に一定の相関関係を有する他の運転データがあるならば、これを対象運転データとしてその相関関係を求めると共に、その相関関係に基づいて、同様に代替の運転データを導出することができる。
【００４６】
（ｅ）代替の運転データと実際の運転データとの比較工程(S105)
このようにして導出される代替の運転データ（GT燃料流量など）は、発電機出力や気温の条件が評価期間における条件と同一であると仮定することができるから、あたかも基準期間における発電プラントの運転状態を再現したかの如く解される。そのため、この代替の運転データと評価期間において取得される実際の運転データとを比較することで、基準期間から評価期間までの発電プラントの経年的な性能変動が外的要因の変動に影響されずに、発電プラントの設備の劣化等に起因するものかを容易に評価・分析することが可能となる。
【００４７】
この比較手法は、図１０に示すツリー状に階層化された各種運転データの中でも、下層レベルに列挙されるGTガス燃料流量やGT燃料ガス供給温度など、測定装置で実際に採取される運転データを用いて発電プラントの性能を評価する場合に適用することが好ましい。
【００４８】
（ｆ）代替の運転データを用いた指標値の演算工程(S106)
図１０に示す各種運転データの中で、上位に階層される発電端効率、GT入熱、ST入熱、SG出力等の運転データは、測定装置によって採取されるデータというよりは、むしろ一定の関係式に基づいて演算により取得される場合が多い。そのため、これら運転データを用いて発電プラントの性能評価を行う場合は、上述で説明した相関関数に基づいて導出される代替の運転データを用いて演算した数値（以下、実際の運転データの値と比較するための「指標値」と称する）と実際の運転データの値とを比較することで発電プラントの性能評価を行うことが好ましい。
【００４９】
以下、上位に階層される「発電端効率」を例に、GTガス燃料流量の相関関数を用いて発電端効率の指標値を演算する工程について具体的に説明する。この発電プラントの発電端効率は、以下の関係式で表される。
【００５０】
発電端効率(%)＝（出力(MW)×3600×1000／GT入熱(kJ/h)）×100  ・・・（１）
ここで、GT入熱(kJ/h)は、
GT入熱(kJ/h)＝GT燃料流量(t/h)×燃料の高位発熱量(kJ/kg)×1000
で与えられる。そして、燃料の高位発熱量(kJ/kg)は、燃料の種類によって決まる値であるため、GT燃料流量(t/h)を採取することで、発電端効率を演算で求めることができる。
一方、この発電端効率の指標値も、上記式（１）により、代替の運転データを用いて演算により求めることができる。具体的には、上記式（１）における「GT入熱」を決定する「GT燃料流量」の値として、上述した相関関数に基づいて導出するGT燃料流量の代替の運転データを用いると共に、「出力」の値として、評価期間において取得される発電機出力の値を用いることで求めることができる。
【００５１】
なお、GTガス燃料流量を用いた発電端効率の演算は一例に過ぎず、他の運転データ又は複数の運転データの組み合わせに基づいた相関関数を作成し、それを用いて発電端効率の指標値を求めると共に、この発電端効率の指標値と評価期間の実際の運転データに基づく発電端効率とを比較することで、発電プラントの経年的な性能評価が可能である。特に、発電プラントの運転開始後間もない運転開始初期期間（１年程度）は、発電プラントの発電端効率は最も高く、基準期間をこの運転開始初期期間とすることで、発電プラントの経年的な性能評価を適切かつ正確に行うことが可能となる。
【００５２】
また、このような指標値は、GT燃料流量以外の代替の運転データを用いることで、発電端効率だけでなく、発電プラントの運転開始初期の基準期間におけるGT入熱、ST入熱、SG出力などの運転データについても同様に求めることができる。
なお、発電端効率など各種運転データの指標値の演算は、既存の熱効率解析プログラム（例えば、上述したEWプログラム）を用いて行うことができる。
【００５３】
（ｇ）代替の運転データを用いた指標値と実際の運転データとの比較工程(S107)
次に、上記（ｆ）の工程で演算した発電端効率の指標値と評価期間において取得した運転データから求めた実際の発電端効率とを比較すれば、代替の運転データによる比較手法の場合と同様に、外的要因の変動に影響されずに、発電プラントの経年的な性能変動が設備の劣化等に起因するものかを容易に判別・評価することが可能となる。
【００５４】
この比較手法は、気象データなどの外的要因変動データとの間に一定の相関関係を有する各種の運転データについて実施することができるが、特に、上位の階層に列挙される発電端効率、GT入熱、ST入熱、SG出力等の、一定の関係式に基づいて演算により求められる運転データについて実施することが好ましい。
【００５５】
図９は、比較を容易にするために、発電端効率の指標値と実際の値とを同一座標に重ねて表示したものである。この図９の例では、対象となった新仙台火力発電所３号系列は平成２８年７月の運転開始であり、運転開始から１年程度しか経過しておらず、指標値の演算では、基準期間と評価期間を同一の期間として演算したため、発電端効率の指標値と実際の値が実質的に一致している状態となっている。
【００５６】
（ｈ）各種運転データの指標値による比較工程(S108)
上記（ｇ）の比較工程では、発電プラントの発電端効率を例にその比較手法について説明したが、発電端効率の指標値と実際の値に乖離が確認された場合には、さらに、下層レベルのGT効率、ST効率、SG効率の各運転データやこれらの各効率に影響を与えるさらに下層レベルの各種運転データについても、同様にその指標値と実際の値との比較を行うことが好ましい。
【００５７】
そのためには、図１０に示すツリー状の各種運転データについて、実際の値と比較するための指標値を求める必要がある。具体的には、相関関数を求めることができる運転データについては、その相関関数に基づいて代替の運転データを導出し、この代替の運転データを指標値とする（S105工程）。
【００５８】
また、相関関数を求めることができない運転データについては、相関関数を求めることができた他の運転データの代替の運転データを用いて、EWプログラムの熱効率演算機能にこの他の代替の運転データを代入することで各指標値を算出することができる。そのため、この値を指標値とすることで、図１０に示すツリー状の各種運転データの指標値を求めることができる。
【００５９】
そして、ツリー状の各種運転データについて、その指標値と実際の値とを重ねて表示するような図１１を作成して比較すれば、発電プラント全体の機器の性能変動を階層を辿って絞り込んで容易に評価・分析することが可能となる。
【００６０】
本発明の発電プラントの性能評価方法によれば、発電プラントの異常を検出することもできるため、発電プラントの異常兆候監視を行うことができる。
【００６１】
本発明は、上述の実施の形態に限定されるものではなく、本発明の分野における通常の知識を有する者であれば想到し得る各種変形、修正を含む要旨を逸脱しない範囲の設計変更があっても、本発明に含まれることは勿論である。
【図１】
2019108881.tif 000003
【図２】
2019108881.tif 000004
【図３】
2019108881.tif 000005
【図４】
2019108881.tif 000006
【図５】
2019108881.tif 000007
【図６】
2019108881.tif 000008
【図７】
2019108881.tif 000009
【図８】
2019108881.tif 000010
【図９】
2019108881.tif 000011
【図１０】
2019108881.tif 000012
【図１１】
2019108881.tif 000013
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
発電プラントの運転データを処理する制御手段と記憶手段とを有するコンピュータにより実行される発電プラント性能評価方法であって、
前記制御手段が、発電プラントの所定の基準期間における運転状況を表す単位時間毎の複数の運転データと外的要因変動データを取得し、前記記憶手段に記憶させる第１のステップと、
前記制御手段が、前記基準期間において取得した前記複数の運転データの中から，前記外的要因変動データと一定の相関関係を有する前記運転データを対象運転データとして少なくとも１つ選択し，該対象運転データと前記外的要因変動データとの相関関係を算出する第２のステップと、
前記制御手段が、前記基準期間の経過後の所定の評価期間における運転状況を表す単位時間毎の前記複数の運転データと前記外的要因変動データを取得し、前記記憶手段に記憶させる第３のステップと、
前記制御手段が、前記第３のステップで取得した前記外的要因変動データに対応する前記第２のステップで取得した運転データについて、前記第２のステップで求めた前記相関関係に基づいて代替の運転データとして導出する第４のステップと、
前記制御手段が、該代替の運転データと前記第３のステップで取得した実際の運転データとの乖離を示すデータを生成する第５のステップと、を含むことを特徴とする発電プラント性能評価方法。
【請求項２】
発電プラントの運転データを処理する制御手段と記憶手段とを有するコンピュータにより実行される発電プラント性能評価方法であって、
前記制御手段が、発電プラントの所定の基準期間における運転状況を表す単位時間毎の複数の運転データと外的要因変動データを取得し、前記記憶手段に記憶させる第１のステップと、
前記制御手段が、前記基準期間における前記複数の運転データの中から，前記外的要因変動データと一定の相関関係を有する前記運転データを対象運転データとして少なくとも１つ選択し，該対象運転データと前記外的要因変動データとの相関関係を算出する第２のステップと、
前記制御手段が、前記基準期間の経過後の所定の評価期間における運転状況を表す単位時間毎の前記複数の運転データと前記外的要因変動データを取得し、前記記憶手段に記憶させる第３のステップと、
前記制御手段が、前記第２のステップで取得した運転データについて、前記第２のステップで求めた前記相関関係に基づいて前記第３のステップで取得した外的要因変動データに対応する運転データを代替の運転データとして導出する第４のステップと、
前記制御手段が、前記外的要因変動データ及び前記代替の運転データを用いて該運転データの指標値を算出する第５のステップと、
前記制御手段が、該運転データの指標値と前記評価期間における実際の運転データとの乖離を示すデータを生成する第６のステップと、を含むことを特徴とする発電プラント性能評価方法。
【請求項３】
前記複数の運転データは、発電プラントの発電端効率に影響を与える要因に応じてツリー状に階層化して展開され、前記指標値は、該ツリー状に展開された前記複数の運転データ毎に求められると共に、該運転データ毎の指標値と前記実際の運転データとの乖離を示すデータが生成されることを特徴とする請求項２に記載の発電プラント性能評価方法。
【請求項４】
前記相関関係は、前記対象運転データと前記外的要因変動データとの相関関数で表すことを特徴とする請求項１乃至３のいずれかに記載の発電プラント性能評価方法。
【請求項５】
発電プラントの運転データを処理する制御手段と記憶手段とを有するコンピュータにより実行される発電プラント性能評価プログラムであって、
前記制御手段が、発電プラントの所定の基準期間における運転状況を表す単位時間毎の複数の運転データと外的要因変動データを取得し、前記記憶手段に記憶させる第１のステップと、
前記制御手段が、前記基準期間において取得した前記複数の運転データの中から，前記外的要因変動データと一定の相関関係を有する前記運転データを対象運転データとして少なくとも１つ選択し，該対象運転データと前記外的要因変動データとの相関関係を算出する第２のステップと、
前記制御手段が、前記基準期間の経過後の所定の評価期間における運転状況を表す単位時間毎の前記複数の運転データと前記外的要因変動データを取得し、前記記憶手段に記憶させる第３のステップと、
前記制御手段が、前記第３のステップで取得した前記外的要因変動データに対応する前記第２のステップで取得した運転データについて、前記第２のステップで求めた前記相関関係に基づいて代替の運転データとして導出する第４のステップと、
前記制御手段が、該代替の運転データと前記第３のステップで取得した実際の運転データとの乖離を示すデータを生成する第５のステップと、を前記コンピュータに実行させるための発電プラント性能評価プログラム。
【請求項６】
発電プラントの運転データを処理する制御手段と記憶手段とを有するコンピュータにより実行される発電プラント性能評価プログラムであって、
前記制御手段が、発電プラントの所定の基準期間における運転状況を表す単位時間毎の複数の運転データと外的要因変動データを取得し、前記記憶手段に記憶させる第１のステップと、
前記制御手段が、前記基準期間における前記複数の運転データの中から，前記外的要因変動データと一定の相関関係を有する前記運転データを対象運転データとして少なくとも１つ選択し，該対象運転データと前記外的要因変動データとの相関関係を算出する第２のステップと、
前記制御手段が、前記基準期間の経過後の所定の評価期間における運転状況を表す単位時間毎の前記複数の運転データと前記外的要因変動データを取得し、前記記憶手段に記憶させる第３のステップと、
前記制御手段が、前記第２のステップで取得した運転データについて、前記第２のステップで求めた前記相関関係に基づいて前記第３のステップで取得した外的要因変動データに対応する運転データを代替の運転データとして導出する第４のステップと、
前記制御手段が、前記外的要因変動データ及び前記代替の運転データを用いて該運転データの指標値を算出する第５のステップと、
前記制御手段が、該運転データの指標値と前記評価期間における実際の運転データとの乖離を示すデータを生成する第６のステップと、を前記コンピュータに実行させるための発電プラント性能評価プログラム。
【請求項７】
前記複数の運転データは、発電プラントの発電端効率に影響を与える要因に応じてツリー状に階層化して展開され、前記指標値は、該ツリー状に展開された前記運転データ毎に求められると共に、該運転データ毎の指標値と前記実際の運転データとの乖離を示すデータが生成されることを特徴とする請求項６に記載の発電プラント性能評価プログラム。
【請求項８】
前記相関関係は、前記対象運転データと前記外的要因変動データとの相関関数で表すことを特徴とする請求項５乃至７のいずれかに記載の発電プラント性能評価プログラム。
【手続補正２】
【補正対象書類名】明細書
【補正対象項目名】０００９
【補正方法】変更
【補正の内容】
【０００９】
上記目的を達成するための本発明の発電プラント性能評価方法は、発電プラントの運転データを処理する制御手段と記憶手段とを有するコンピュータにより実行される発電プラント性能評価方法であって、前記制御手段が、発電プラントの所定の基準期間における運転状況を表す単位時間毎の複数の運転データと外的要因変動データを取得し、前記記憶手段に記憶させる第１のステップと、制御手段が、基準期間において取得した複数の運転データの中から，外的要因変動データと一定の相関関係を有する運転データを対象運転データとして少なくとも１つ選択し，この対象運転データと外的要因変動データとの相関関係を算出する第２のステップと、制御手段が、基準期間の経過後の所定の評価期間における運転状況を表す単位時間毎の複数の運転データと外的要因変動データを取得し、記憶手段に記憶させる第３のステップと、制御手段が、この第３のステップで取得した外的要因変動データに対応する第２のステップで取得した運転データについて、第２のステップで求めた相関関係に基づいて代替の運転データとして導出する第４のステップと、制御手段が、この代替の運転データと第３のステップで取得した実際の運転データとの乖離を示すデータを生成する第５のステップと、を含むことを特徴とする。
【手続補正３】
【補正対象書類名】明細書
【補正対象項目名】００１０
【補正方法】変更
【補正の内容】
【００１０】
また、本発明の発電プラント性能評価方法では、対象運転データと外的要因データとの相関関係を相関関数で表すことが好ましく、代替の運転データを用いて運転データの指標値を算出し、この運転データの指標値と評価期間における実際の運転データとの乖離を示すデータを生成することで性能評価を行うこともできる。
【手続補正４】
【補正対象書類名】明細書
【補正対象項目名】００１１
【補正方法】変更
【補正の内容】
【００１１】
さらに、本発明の発電プラント性能評価方法では、複数の運転データを発電プラントの発電端効率に影響を与える要因に応じてツリー状に階層化して展開し、このツリー状に展開された運転データ毎に指標値を算出すると共に、この運転データ毎の指標値と実際の運転データとの乖離を示すデータを生成することで、発電プラントの不具合等の要因を下層レベルまで絞り込んで評価分析することができる。